(57)【要約】【課題】  レーキ循環式のバースクリーン装置において、バーの下流側における夾雑物等の溜まり込みを防止する。【解決手段】  バースクリーン装置１は、複数のバー２０からなるバースクリーン８０と、バースクリーン８０の長手方向に沿って循環移動するレーキ１１とを備えている。バー２０の右側には、段差部２４が形成されている。バー２０の隙間に入り込んだレーキ１１は、駆動スプロケット３５の周りを周回する際に、バー２０の段差部２４において、バー２０から離反する。バー２０の段差部２４と右端部との間には、送り出しバー６０を備えた送り出し機構１３が配置されている。送り出しバー６０は、レーキ１１と干渉しないようにレーキ１１の移動と同調して揺動し、レーキ１１によって掻き取られた夾雑物をバー２０の右端に送り出す。【選択図】  図２
2006112142.tif 000002
【特許請求の範囲】
【請求項１】
互いに隙間を存して所定方向に配列され且つ互いに平行に延びる複数のバーと、
前記隙間に挿入される櫛歯状のレーキと、
前記レーキが前記バーの長手方向の一方の側から前記隙間に挿入され且つ前記バーの他端部よりも中央側に位置する所定の離反部から前記隙間を離れるように、前記バーの長手方向を含む所定の循環経路に沿って前記レーキを移動させるレーキ移動機構と、
前記バーにおける前記離反部と前記他端部との間の夾雑物を前記他端部側に送り出す送り出し機構と、
を備えたバースクリーン装置。
【請求項２】
前記バーの前記離反部と前記他端部との間の奥行きは、前記バーの一端部と前記離反部との間の奥行きよりも長い、請求項１に記載のバースクリーン装置。
【請求項３】
前記バーの前記他端部の裏側には、流体の通過を阻止する流路閉鎖部材が設けられている、請求項１又は２に記載のバースクリーン装置。
【請求項４】
前記バーの前記他端部は裏側で固定され、前記他端部の先端は開放されている、請求項１〜３のいずれか一つに記載のバースクリーン装置。
【請求項５】
前記送り出し機構は、前記バーの隙間に挿入された送り出しバーと、前記送り出しバーを前記バーの長手方向に沿って揺動させる揺動機構と、を備えている、請求項１〜４のいずれか一つに記載のバースクリーン装置。
【請求項６】
前記揺動機構は、前記送り出しバーと前記レーキとが干渉しないように前記送り出しバーの揺動と前記レーキの移動とを同調させる、請求項５に記載のバースクリーン装置。
【請求項７】
前記レーキ移動機構及び前記送り出し機構の両方を単一の動力で駆動する駆動装置を備えている、請求項１〜６のいずれか一つに記載のバースクリーン装置。
【請求項８】
前記レーキ移動機構は、前記バーの前記離反部の略裏側に設けられた第１の回転体と、前記一端部の略裏側に設けられた第２の回転体と、前記レーキが取り付けられ、前記第１の回転体と前記第２の回転体とに巻き掛けられ且つ前記循環経路に沿って延びる第１の無端状伝動部材と、を備え、
前記揺動機構は、前記送り出しバーを揺動させる第３の回転体と、前記第１の回転体と前記第３の回転体とに巻き掛けられた第２の無端状伝動部材と、を備え、
前記駆動装置は、前記第１、第２及び第３の回転体のいずれかを回転させる駆動機構からなっている、請求項１〜７のいずれか一つに記載のバースクリーン装置。
【請求項９】
前記バーは湾曲している、請求項１〜８のいずれか一つに記載のバースクリーン装置。
【請求項１０】
堰と、前記堰よりも下側に形成された通常路と、前記堰を介して前記通常路と隔てられた増水路とを有する水路と、
前記通常路に汚水を供給する供給路と、
前記通常路に開口する排出口が形成され、前記通常路から汚水を排出する第１の排出路と、
前記増水路から汚水を排出する第２の排出路と、
前記堰上に設置された請求項１〜９のいずれか一つに記載のバースクリーン装置と、を備え、
前記第１の排出路の排出口は、前記バーの表側且つ前記他端部側に開口している、合流式下水道施設。
【発明の詳細な説明】
【技術分野】
【０００１】
本発明は、汚水等に含まれる夾雑物等を除去するバースクリーン装置及びそれを備えた合流式下水道施設に関するものである。
【背景技術】
【０００２】
従来から、例えば下水処理施設等において、いわゆるレーキ循環式のバースクリーン装置が用いられている（例えば、下記特許文献１参照）。図１９は、レーキ循環式バースクリーン装置の一例を示す平面図である。このバースクリーン装置１００は、互いに平行に配置された（図１９における紙面表裏方向に配置された）複数のバー１０１からなるバースクリーン１０２と、バー１０１の間に挿入された櫛歯状のレーキ１０３と、バースクリーン１０２の裏側に配置された駆動スプロケット１０６及び従動スプロケット１０５と、駆動スプロケット１０６と従動スプロケット１０５とに巻き掛けられた駆動チェーン１０４とを備えている。
【０００３】
上記バースクリーン装置１００では、汚水がバースクリーン１０２を通過する際に、汚水に含まれる夾雑物はバースクリーン１０２によって除去される。一方、駆動チェーン１０４の走行に伴ってレーキ１０３が循環移動し、バー１０１の間に溜まった夾雑物はレーキ１０３によって掻き取られる。詳しくは、駆動チェーン１０４の裏側（図１９の上側）を右向きに進行したレーキ１０３は、従動スプロケット１０５の周りを回った後、駆動チェーン１０４の裏側から表側（図１９の下側）に移動する。そして、レーキ１０３は、バー１０１の右側（以下、上流側という）から、上下に隣り合うバー１０１の間の隙間に入り込む。その後、レーキ１０３は、バー１０１の長手方向に沿って移動し、バー１０１の間に溜まった夾雑物を掻き取っていく。バー１０１の左側（以下、下流側という）に達したレーキ１０３は、駆動スプロケット１０６の周りを周回し、駆動チェーン１０４の表側から裏側に移動する。この際、レーキ１０３は、バー１０１の間の隙間から外れる。そして、駆動チェーン１０４の裏側に移動したレーキ１０３は、右側に移動した後、再び従動スプロケット１０５の周りを回り、上述の動作を繰り返す。
【０００４】
レーキ循環式のバースクリーン装置１００では、バー１０１が長い場合には、それに応じて駆動チェーン１０４を長くすればよいため、バー１０１の長さに応じてレーキ１０３自体を大型化する必要はない。また、レーキ１０３を駆動する駆動装置を大型化する必要もない。したがって、バースクリーン１０２が大型であっても、目詰まり等を効果的に防止することができる。
【特許文献１】特開平８−５３８２５号公報
【発明の開示】
【発明が解決しようとする課題】
【０００５】
しかしながら、レーキ循環式のバースクリーン装置１００には、掻き取った夾雑物がバー１０１の下流側に溜まりやすいという課題があった。
【０００６】
すなわち、レーキ１０３は、バー１０１の下流側において、バー１０１の長手方向に沿った直進移動から方向を転換し、駆動スプロケット１０６に沿った周回移動を行う。そのため、バー１０１の下流側には、レーキ１０３を周回移動させるために、ある程度の長さの余剰部１０７が必要となる。一方、前述したように、レーキ１０３は、バー１０１の下流側においてバー１０１の間の隙間から外れる。しかしながら、レーキ１０３が上記隙間から外れると、もはや夾雑物を掻き取ることはできない。その結果、レーキ１０３によって掻き取られた夾雑物が余剰部１０７に滞留してしまい、排出できない場合があった。
【０００７】
本発明は、かかる点に鑑みてなされたものであり、その目的とするところは、レーキ循環式のバースクリーン装置において、バーの下流側における夾雑物等の溜まり込みを防止することにある。
【課題を解決するための手段】
【０００８】
本発明に係るバースクリーン装置は、互いに隙間を存して所定方向に配列され且つ互いに平行に延びる複数のバーと、前記隙間に挿入される櫛歯状のレーキと、前記レーキが前記バーの長手方向の一方の側から前記隙間に挿入され且つ前記バーの他端部よりも中央側に位置する所定の離反部から前記隙間を離れるように、前記バーの長手方向を含む所定の循環経路に沿って前記レーキを移動させるレーキ移動機構と、前記バーにおける前記離反部と前記他端部との間の夾雑物を前記他端部側に送り出す送り出し機構と、を備えたものである。
【０００９】
上記バースクリーン装置によれば、バーによって除去された汚水中の夾雑物等は、レーキによって掻き取られ、バーの離反部にまで運ばれる。そして、離反部に運ばれた夾雑物等は、送り出し機構によってバーの他端部側に送り出される。したがって、レーキに掻き取られた夾雑物等がバーの下流側に溜まり込むことを抑制することができる。
【００１０】
前記バーの前記離反部と前記他端部との間の奥行きは、前記バーの一端部と前記離反部との間の奥行きよりも長いことが好ましい。
【００１１】
このことにより、レーキが通過する部分（バーの一端部と離反部との間）では、バーの奥行きを相対的に短くすることにより、夾雑物等を効果的に掻き取ることができる。一方、レーキが通過しない部分（バーの離反部と他端部との間）では、バーの奥行きを相対的に長くすることにより、送り出し機構による送り出し動作を円滑化することができる。
【００１２】
前記バーの前記他端部の裏側には、流体の通過を阻止する流路閉鎖部材が設けられていることが好ましい。
【００１３】
このことにより、バーの他端部に送り出された夾雑物等が流体と共にバーの裏側に流れ出すことを防止することができる。
【００１４】
前記バーの前記他端部は裏側で固定され、前記他端部の先端は開放されていることが好ましい。
【００１５】
このことにより、他端部に送り出された夾雑物等は、他端部の先端から排出されやすくなる。
【００１６】
前記送り出し機構は、前記バーの隙間に挿入された送り出しバーと、前記送り出しバーを前記バーの長手方向に沿って揺動させる揺動機構と、を備えていてもよい。
【００１７】
このことにより、夾雑物等をバーの他端部側に効率的に送り出すことができる。
【００１８】
前記揺動機構は、前記送り出しバーと前記レーキとが干渉しないように前記送り出しバーの揺動と前記レーキの移動とを同調させることが好ましい。
【００１９】
このことにより、送り出しバーとレーキとの干渉が防止される。
【００２０】
前記レーキ移動機構及び前記送り出し機構の両方を単一の動力で駆動する駆動装置を備えていることが好ましい。
【００２１】
このことにより、レーキ移動機構及び送り出し機構の駆動装置が共用化され、バースクリーン装置の小型化又は省エネ化等が図られる。
【００２２】
前記レーキ移動機構は、前記バーの前記離反部の略裏側に設けられた第１の回転体と、前記一端部の略裏側に設けられた第２の回転体と、前記レーキが取り付けられ、前記第１の回転体と前記第２の回転体とに巻き掛けられ且つ前記循環経路に沿って延びる第１の無端状伝動部材と、を備え、前記揺動機構は、前記送り出しバーを揺動させる第３の回転体と、前記第１の回転体と前記第３の回転体とに巻き掛けられた第２の無端状伝動部材と、を備え、前記駆動装置は、前記第１、第２及び第３の回転体のいずれかを回転させる駆動機構からなっていてもよい。
【００２３】
上記バースクリーン装置では、駆動装置によって第１、第２及び第３の回転体のいずれかが駆動されると、第１及び第２の無端状伝動部材を介して第１〜第３の回転体が連動し、また、第１及び第２の無端状伝動部材が同時に走行することになる。その結果、レーキ及び送り出しバーが連動し、前述の作用効果が得られる。
【００２４】
ところで、レーキ循環式のバースクリーン装置では、レーキの循環経路をバーの形状に沿うように設定すればよいので、バーが湾曲していても夾雑物等を容易に除去することができる。そこで、前記バーは、湾曲していてもよい。
【００２５】
本発明に係る合流式下水道施設は、堰と、前記堰よりも下側に形成された通常路と、前記堰を介して前記通常路と隔てられた増水路とを有する水路と、前記通常路に汚水を供給する供給路と、前記通常路に開口する排出口が形成され、前記通常路から汚水を排出する第１の排出路と、前記増水路から汚水を排出する第２の排出路と、前記堰上に設置された前記バースクリーン装置と、を備え、前記第１の排出路の排出口は、前記バーの表側且つ前記他端部側に開口しているものである。
【００２６】
上記合流式下水道施設では、例えば、家屋等からの排水と雨水とを含んだ汚水が、供給路から水路に供給される。通常は、汚水は通常路を通り、第１の排出路を経由して下水処理場等に排出される。一方、豪雨時など、汚水の量が増えた場合には、供給路から供給された汚水の一部は堰を越え、増水路に流れ込む。増水路に流れ込んだ汚水は、バースクリーン装置を通過して夾雑物等を除去された後、第２の排出路を通じて、河川に放流等される。除去された夾雑物等は、レーキによって掻き取られた後、送り出し機構によってバーの他端部に送り出される。第１の排出路の排出口はバーの他端部側に開口しているので、送り出し機構によって送り出された夾雑物は、排出口に流れ込む汚水の流れにのって、第１の排出路から排出される。したがって、夾雑物は、汚水の流れによって自動的に排出されることになる。
【発明の効果】
【００２７】
以上のように、本発明によれば、レーキ循環式のバースクリーン装置において、バーの下流側における夾雑物等の溜まり込みを防止することができる。
【発明を実施するための最良の形態】
【００２８】
以下、本発明の実施形態を図面に基づいて詳細に説明する。
【００２９】
図１に示すように、実施形態に係るバースクリーン装置１は、合流式下水道施設の雨水吐き室２に設置されている。雨水吐き室２の形状及び設置箇所は特に限定されないが、本実施形態では、雨水吐き室２は直方体形状に形成され、道路の下に埋設されている。雨水吐き室２には、略円弧状に延びる側面を有する堰３が設けられている。堰３の下側には通常路４が形成され、堰３の上側には増水路５が形成されている。バースクリーン装置１は堰３の上に設置され、通常路４と増水路５とを仕切っている。
【００３０】
通常路４には、供給管６と第１排水管７とが設けられている。供給管６は、家屋等から排出される排水と雨水とが合流してなる汚水を、通常路４に供給する配管である。第１排水管７は、汚水を図示しない下水処理場等に向かって排出する配管である。第１排水管７の排出口９は、堰３の上端よりも低い位置に設けられている。なお、供給管６と第１排水管７とは互いに直交する方向に延びており、供給管６から供給された汚水が堰３の側面に沿って流れ、第１排水管７から円滑に排出されるようになっている。
【００３１】
増水路５には、第２排水管８が設けられている。第２排水管８は、堰３を越えて増水路５に流入した汚水を、河川等に放流する配管である。すなわち、豪雨時等のように雨水の量が多いときには、通常路４から溢れた汚水が堰３を越え、バースクリーン装置１によって濾過された後、第２排水管８を通じて河川等に放流される。なお、第２排水管８は、供給管６と平行な方向に延びている。
【００３２】
バースクリーン装置１は、略円弧状に延びるケーシング１０と、ケーシング１０の前面側に固定されたバースクリーン８０とを備えている。なお、以下の説明では、バースクリーン８０の通常路４側、増水路５側を、それぞれ表側、裏側という。また、バースクリーン８０の供給管６側、第１排水管７側を、それぞれ左側、右側という。なお、本実施形態では、バースクリーン８０の左側はレーキ１１の上流側となり、バースクリーン８０の右側はレーキ１１の下流側となる。
【００３３】
図２に示すように、バースクリーン装置１は更に、バースクリーン８０から夾雑物等を掻き取る複数のレーキ１１と、レーキ１１を循環移動させるレーキ循環機構１２と、レーキ１１によって掻き取られた夾雑物等をバースクリーン８０の右端部に送り出す送り出し機構１３とを備えている。
【００３４】
バースクリーン８０は、複数のバーを所定間隔毎に上下に積層することにより形成されている。図３に示すように、本実施形態に係るバースクリーン８０のバー２０は、円弧状に延びる水平バーからなっている。バー２０の断面形状は、略長方形状に形成されている。ただし、バー２０の断面形状は何ら限定されるものではない。
【００３５】
バー２０の左端部１９には、後述するボルト２９（図２参照）を挿通するための孔２１が形成されている。バー２０の右端部には、バー２０の長手方向と直交し、裏側に突出する突出片２２が形成されている。突出片２２にも、ボルトを挿通するための孔２３が形成されている。
【００３６】
バー２０の右側部は、他の部分に比べて奥行きが長くなっている。すなわち、バー２０の途中には、奥行きが変化する段差部２４が形成されている。なお、本実施形態では、段差部２４において、バー２０の奥行きは連続的に変化している。
【００３７】
図２に示すように、ケーシング１０の左端の前側にはホルダ２５が取り付けられ、このホルダ２５には、バー２０を保持する保持板２６が固定されている。保持板２６は、バー２０の長手方向と直交するように配置されている。
【００３８】
図４に示すように、保持板２６は、上下方向に延びる複数の板材２７を積層することにより形成されている。各板材２７には、バー２０を挿入する貫通孔２８が長手方向に複数形成されている。なお、各板材２７は薄いので、例えば打ち抜き加工やレーザ加工等により、貫通孔２８を容易かつ高精度に形成することができる。ただし、保持板２６を単体の板状体で形成することも勿論可能である。
【００３９】
図５及び図６に示すように、バー２０の左端部１９は、バー２０の長手方向から保持板２６の貫通孔２８に差し込まれ、保持板２６を貫通して左側に突出している。そして、保持板２６の左側に突出した突出部には、上下に延びるボルト２９が挿通されている。これにより、上下に並べられた複数のバー２０は、ボルト２９によって一体的に固定されている。
【００４０】
図２に示すように、ケーシング１０の右端の前側にもホルダ２５が取り付けられ、ホルダ２５にも保持板２６が固定されている。ただし、右端の保持板２６は、バー２０の長手方向と平行に配置されている。
【００４１】
図７に示すように、バー２０の右端部の突出片２２は、バー２０の長手方向と直交する方向から保持板２６の貫通孔２８に差し込まれ、保持板２６を貫通して裏側に突出している。そして、保持板２６の裏側に突出した突出片２２には、上下に延びるボルト２９が挿通されている。これにより、バー２０の右端部も、ボルト２９によって一体的に固定されている。ただし、バー２０の左端部と異なり、右端部は裏側で固定されているので、右端部の先端４８は開放されている（図８参照）。すなわち、バー２０の右端４８は、バースクリーン装置１の右端まで延びている。
【００４２】
次に、レーキ循環機構１２について説明する。図２に示すように、レーキ循環機構１２は、バースクリーン装置１の右側に配置された第１回転軸４１と、左側に配置された第２回転軸４２と、第１回転軸４１に固定された上下一対の駆動スプロケット３１（図９参照）と、第２回転軸４２に固定された上下一対の従動スプロケット３０と、駆動スプロケット３１と従動スプロケット３０とに巻き掛けられた上下一対のチェーン３４とを備えている。より詳しくは、駆動スプロケット３１は、バー２０の段差部２４の裏側に配置されている。従動スプロケット３０は、バー２０の左端１９よりも中央側に配置されている。なお、第１回転軸４１には、駆動モータ４９（図９参照）が取り付けられている。したがって、第１回転軸４１は、駆動モータ４９によって駆動される。
【００４３】
駆動スプロケット３１と従動スプロケット３０との間には、チェーン３４の走行を案内すると共にチェーン３４に張力を付与する中間スプロケット３２が配置されている。中間スプロケット３２も上下に一つずつ設けられている。また、駆動スプロケット３１と中間スプロケット３２との間、並びに従動スプロケット３０と中間スプロケット３２との間には、チェーン３４を案内するガイド３３がそれぞれ設けられている。これら中間スプロケット３２及びガイド３３により、チェーン３４は円弧状に配置されている。
【００４４】
本実施形態では、チェーン３４には４つのレーキ１１が連結されている。図９に示すように、レーキ１１は櫛歯状に形成され、バー２０の隙間に挿入されている。レーキ１１がバー２０に対して直交しているときには、レーキ１１の先端はバー２０の前方に突出する。すなわち、レーキ１１の長さは、バー２０の奥行きよりも長くなっている。
【００４５】
レーキ１１の裏側は支持部材５０に固定され、支持部材５０は上下のチェーン３４にそれぞれ取り付けられている。したがって、レーキ１１はチェーン３４に固定されており、チェーン３４が走行すると、レーキ１１はチェーン３４に従って円弧状の循環経路を移動することになる。なお、図２における破線５１は、循環移動の際におけるレーキ１１の先端の軌跡を示している。
【００４６】
次に、レーキ１１の循環移動について説明する。図２に示すように、レーキ１１は、バースクリーン装置１の裏側では、右側から左側に移動し、バースクリーン装置１の表側では、バー２０の隙間に入り込んだ状態で左側から右側に移動する。
【００４７】
すなわち、レーキ１１は、従動スプロケット３０を周回して裏側から表側に移動した後、バー２０の左側から隙間に入り込む。そして、レーキ１１はバー２０に溜まった夾雑物を掻き取りながら、バー２０の長手方向に沿って円弧状に移動する。その後、レーキ１１は駆動スプロケット３１の前方に移動し、駆動スプロケット３１の周りを表側から裏側に向かって周回する。この際、レーキ１１は、バー２０の段差部２４において、バー２０の隙間から外れる。したがって、段差部２４は、レーキ１１がバー２０から離れる離反部となる。駆動スプロケット３１を周回したレーキ１１は、バースクリーン装置１の裏側において右側から左側へ移動し、再び従動スプロケット３０に到達する。そして、その後は上述の動作を繰り返す。
【００４８】
レーキ１１がバー２０から離反する段差部２４では、もはやバー２０の夾雑物をレーキ１１によって掻き取ることはできない。そこで、本実施形態では、レーキ１１によって段差部２４に運ばれてきた夾雑物を、送り出し機構１３によってバー２０の右端に送り出すこととした。次に、送り出し機構１３について説明する。
【００４９】
図１０及び図１１に示すように、送り出し機構１３は、バー２０の隙間に挿入されたＴ字型の送り出しバー６０を備えている。図１０に示すように、送り出しバー６０はスペーサ６４を介して上下に積層されており、支持部材６３に一体的に取り付けられている。支持部材６３の裏側は、揺動アーム６２を介して連結棒６１に固定されている。送り出しバー６０の左端には、段差部２４に沿った傾斜部が形成されている。
【００５０】
図１１に示すように、連結棒６１は、第１クランク軸４３と第２クランク軸４４とに嵌め込まれている。図１０に示すように、第１クランク軸４３の上端部及び下端部には、スプロケット３６が設けられている。図１１に示すように、第２クランク軸４４の下端部には、スプロケット３７が設けられている。そして、第１クランク軸４３の下端部のスプロケット３６と第２クランク軸４４のスプロケット３７とには、チェーン３９が巻き掛けられている。これにより、第１クランク軸４３と第２クランク軸４４とは連動し、連結棒６１は円を描くように揺動する。
【００５１】
図９に示すように、第１回転軸４１の上端部には、スプロケット３５が設けられている。このスプロケット３５と第１クランク軸４３の上側のスプロケット３６とは、チェーン３８によって連結されている。したがって、第１クランク軸４３は、第１回転軸４１と共に回転する。
【００５２】
前述したように、第１回転軸４１は駆動モータ４９によって回転される。第１回転軸４１と第２回転軸４２とは、チェーン３４を介して連結されており、第１回転軸４１と第１クランク軸４３とは、チェーン３８を介して連結されている。また、第１クランク軸４３と第２クランク軸４４とは、チェーン３９を介して連結されている。したがって、本実施形態では、単一の駆動モータ４９により、第１回転軸４１、第２回転軸４２、第１クランク軸４３、及び第２クランク軸４４のすべてを駆動することができる。
【００５３】
前述したように、送り出しバー６０は先端側が広いＴ字型に形成されている。図１１に示すように、送り出しバー６０の先端側の横幅は、バー２０の段差部２４と右端４８との間の距離よりも若干短くなっている。送り出しバー６０は連結棒６１と連結されているので、連結棒６１に従って、図１１における反時計回り方向に円を描くように揺動する。すなわち、送り出しバー６０は、バー２０の隙間に溜まった夾雑物を右端４８に向かって順次送り出すように揺動する。
【００５４】
ところで、段差部２４の近傍では、レーキ１１から送り出しバー６０への夾雑物の受け渡しを円滑にするために、レーキ１１の軌跡と送り出しバー６０の軌跡とが一部重なっている。そこで、本実施形態では、レーキ１１と送り出しバー６０とが干渉しないように、レーキ１１の循環移動と送り出しバー６０の揺動とを同調させることとしている。
【００５５】
具体的には、図１２〜図１８の順に経時的に示すように、レーキ１１が段差部２４に近づくと、送り出しバー６０を段差部２４から離れた位置に移動させ、逆に、レーキ１１が段差部２４から遠ざかると、送り出しバー６０を段差部２４に近づける。このような同調動作により、レーキ１１と送り出しバー６０との干渉を防止することができる。なお、本実施形態の構成によれば、スプロケット３５，３６の歯数などを調整すること等により、上記同調を容易に実現することができる。
【００５６】
図１１に示すように、バー２０の右端部の裏側には、汚水の通過を阻止する閉鎖板７０が配置されている。閉鎖板７０の寸法は特に限定されるものではないが、本実施形態では、閉鎖板７０の横幅（バー２０の長手方向に沿った方向の長さ）は、送り出しバー６０の幅の約１／３〜１／４の長さになっている。
【００５７】
以上のように、本実施形態に係るバースクリーン装置１によれば、レーキ１１によって掻き取られた夾雑物は、レーキ１１によってバー２０の段差部２４にまで運ばれた後、送り出し機構１３によってバー２０の右端部に送り出される。そして、バー２０の右端部に送られた夾雑物は、通常路４を第１排水管７に向かって流れる汚水の流れに乗り、汚水と共に第１排水管７から排出される。したがって、本実施形態によれば、レーキ１１に掻き取られた夾雑物がバー２０の途中に溜まり込むことを防止することができる。
【００５８】
また、本実施形態によれば、バー２０の段差部２４と右端部との間の奥行きは、左端部と段差部２４との間の奥行きよりも長くなっている。そのため、送り出しバー６０の動作範囲を広く確保することができ、夾雑物の送り出しを円滑化することができる。
【００５９】
また、本実施形態によれば、バー２０の右端部の裏側は、閉鎖板７０によって閉鎖されている。したがって、バー２０の右端部では、バースクリーン８０を通過する汚水の流れは形成されない。そのため、バー２０の右端部に送り出された夾雑物は、バースクリーン８０を通過することなく、第１排水管７から円滑に排出される。
【００６０】
また、本実施形態によれば、バー２０の右端４８は、固定具等によって固定されておらず、開放されている。したがって、バー２０の右端部に送り出された夾雑物は、バー２０の先端にまで運ばれ、容易に排出される。
【００６１】
また、本実施形態によれば、レーキ１１の循環移動と送り出しバー６０の揺動とを同調させることとしたので、レーキ１１と送り出しバー６０との干渉を防止しつつ、レーキ１１の軌跡と送り出しバー６０の軌跡とを一部重ねることができる。そのため、レーキ１１から送り出しバー６０に対して、夾雑物を円滑に受け渡しすることができる。
【００６２】
さらに、本実施形態によれば、レーキ循環機構１２と送り出し機構１３とをチェーン３８で連結したので、レーキ循環機構１２と送り出し機構１３とを共通の駆動モータ４９により駆動することができる。したがって、装置の小型化又は省エネ化を図ることができる。
【００６３】
なお、上記実施形態では、バー２０は円弧状であったが、バー２０は直線状に形成されていてもよい。バー２０の形状は特に限定されるものではない。また、バー２０は水平バーに限らず、垂直バー等であってもよい。
【産業上の利用可能性】
【００６４】
以上説明したように、本発明は、バースクリーン装置及び合流式下水道施設について有用である。
【図面の簡単な説明】
【００６５】
【図１】雨水吐き室の斜視図である。
【図２】バースクリーン装置の内部構造を示す断面図である。
【図３】バーの平面図である。
【図４】保持板の斜視図である。
【図５】バースクリーン装置の左端部の正面図である。
【図６】バースクリーン装置の左端部の側面図である。
【図７】バースクリーン装置の右端部の側面図である。
【図８】バースクリーン装置の右端部の正面図である。
【図９】図２のＩＸ−ＩＸ線断面図である。
【図１０】図２のＸ−Ｘ線断面図である。
【図１１】送り出し機構の断面図である。
【図１２】バースクリーン装置の右側部分の断面図である。
【図１３】バースクリーン装置の右側部分の断面図である。
【図１４】バースクリーン装置の右側部分の断面図である。
【図１５】バースクリーン装置の右側部分の断面図である。
【図１６】バースクリーン装置の右側部分の断面図である。
【図１７】バースクリーン装置の右側部分の断面図である。
【図１８】バースクリーン装置の右側部分の断面図である。
【図１９】従来のバースクリーン装置の平面図である。
【符号の説明】
【００６６】
１    バースクリーン装置
３    堰
１１  レーキ
１２  レーキ循環機構（レーキ移動機構）
１３  送り出し機構
２０  バー
２４  段差部（離反部）
２６  保持板
６０  送り出しバー
７０  閉鎖板（流路閉鎖部材）
【図１】
2006112142.tif 000003
【図２】
2006112142.tif 000004
【図３】
2006112142.tif 000005
【図４】
2006112142.tif 000006
【図５】
2006112142.tif 000007
【図６】
2006112142.tif 000008
【図７】
2006112142.tif 000009
【図８】
2006112142.tif 000010
【図９】
2006112142.tif 000011
【図１０】
2006112142.tif 000012
【図１１】
2006112142.tif 000013
【図１２】
2006112142.tif 000014
【図１３】
2006112142.tif 000015
【図１４】
2006112142.tif 000016
【図１５】
2006112142.tif 000017
【図１６】
2006112142.tif 000018
【図１７】
2006112142.tif 000019
【図１８】
2006112142.tif 000020
【図１９】
2006112142.tif 000021